(57)【要約】鋳造圧延設備の第１生産ライン（Ｉ）は、鋳造機（１、１１）からの薄肉スラブ（２、１２）を、圧延機（５）を備える仕上げライン（４）につながるトンネル釜（３、１３）に入れ、高温圧延帯鋼を仕上げラインから出た後に冷却装置（７）を経て巻取機（８）で巻き取る。又第１生産ラインに対し少なくとも部分的に並列配置した、スラブ供給装置（２０）を備える第２生産ラインを含み、この装置でスラブを再熱炉（２３）とそれに後続する前圧延機（２４）に導き、前圧延帯鋼をコイル（２５）としてコイル箱（２６）に収容する。この設備は、コイル搬送装置（２７）も含み、該装置でコイルを仕上げラインの前で第２生産ラインから第１生産ラインに移送し、前圧延帯鋼を導入すべく、コイルをコイル箱から取り出し、仕上げラインの入口に搬送する。特に特殊鋼や高合金鋼を含む幅広い種類の鉄鋼を生産でき、高い生産性が得られる。
2004508199.tif 000002
【特許請求の範囲】
【請求項１】
第１生産ライン（Ｉ）と、該ライン（Ｉ）に対し製造技術的に少なくとも部分的に並列配置された第２生産ライン（ＩＩ）と、コイル搬送装置（２７）とを有し、第１生産ライン（Ｉ）が少なくとも１つの鋳造機（１、１１）を備え、該鋳造機（１、１１）からの薄肉スラブ（２、１２）が少なくとも１つのトンネル釜（３、１３）に入れられ、該釜（３、１３）が少なくとも１つの圧延機（５）を備えた少なくとも１つの仕上げライン（４）につながり、高温圧延帯鋼が仕上げライン（４）から出た後で少なくとも１つの冷却装置（７）を通され、少なくとも１つの巻取機（８）に巻き取られ、第２生産ライン（ＩＩ）が少なくとも１つのスラブ供給装置（２０）を備え、該供給装置（２０）によりスラブ（２２）が少なくとも１つの再熱炉（２３）とそれに後続する少なくとも１つの前圧延機（２４）に導かれ、前圧延帯鋼がコイル（２５）として少なくとも１つのコイル箱（２６）に収容され、前記コイル（２５）がコイル搬送装置（２７）により仕上げライン（４）の前で第２生産ライン（ＩＩ）から第１生産ライン（Ｉ）に移送され、その際前圧延帯鋼を導入すべく、コイル（２５）がコイル箱（２６）から取り出され、仕上げライン（４）の入口に搬送されることを特徴とする鋳造圧延設備。
【請求項２】
コイル箱（２６）に少なくとも１つのコイルを貯蔵する少なくとも１つの保温炉（２１）が付属することを特徴とする請求項１記載の設備。
【請求項３】
コイル箱（２６）が加熱可能であることを特徴とする請求項１記載の設備。
【請求項４】
第２生産ライン（ＩＩ）が、スラブ供給装置（２０）に前置されたスラブ製造装置（３０）を有することを特徴とする請求項１又は２記載の設備。
【請求項５】
スラブ製造装置（３０）で製造されたスラブ（２２）が、熱間ないし高温作業にて、スラブ供給装置（２０）に直接導入されることを特徴とする請求項４記載の設備。
【請求項６】
スラブ製造装置（３０）で製造されたスラブ（２２）が、貯蔵庫（３４）に製造技術的に一時的に貯蔵され、必要に応じ常温作業にてスラブ供給装置（２０）に導入されることを特徴とする請求項４記載の設備。
【請求項７】
スラブ供給装置（２０）に、常温作業にてほかで製造されたスラブが導入されることを特徴とする請求項１記載の設備。
【発明の詳細な説明】
【０００１】
本発明は鋳造圧延設備に関する。
【０００２】
鋳造圧延設備において、例えば薄肉スラブ（厚さ４０〜９０ｍｍ）が帯鋼の形に加工される。鋳造圧延設備は鋳造機を含み、該鋳造機からの薄肉スラブは少なくとも１つのトンネル釜に入れられる。トンネル釜は少なくとも１つの圧延機を備えた仕上げラインにつながっている。その仕上げラインで、薄肉スラブは高温帯鋼の形に圧延される。その高温圧延帯鋼は、仕上げラインから出た後で少なくとも１つの冷却装置を通され、少なくとも１つの巻取機に巻き取られる。
【０００３】
公知の設備はその小形な構造により特に経済的である（設備費と運転費が安価である）。しかし特殊鋼と高合金鋼の生産は、それらの鋳造性のため難しい。その鋳造速度は鋳造時における非定常性のため非常に遅い。特殊鋼と高合金鋼と炭素鋼との間で連続的に交替する際、事情によっては、仕上げラインの運転時に問題が生じ、これに伴い、完成した帯鋼の材質に問題が生ずる。
【０００４】
本発明の課題は、特に種々の厚さの特殊鋼と高合金鋼を含む幅広い種類の鉄鋼が生産でき、かつ高い生産性を実現できる鋳造圧延設備を提供することにある。
【０００５】
この課題は本発明に基づいて、請求項１に記載の鋳造圧延設備により解決される。本発明の有利な実施態様は従属請求項に示す。
【０００６】
本発明に基づく鋳造圧延設備は、少なくとも１つの第１生産ラインを含み、該生産ラインは少なくとも１つの鋳造機を備え、該鋳造機からの薄肉スラブが少なくとも１つのトンネル釜に入れられ、該トンネル釜が少なくとも１つの圧延機を備えた少なくとも１つの仕上げラインにつながり、高温圧延帯鋼が仕上げラインから出た後で少なくとも１つの冷却装置を通され、少なくとも１つの巻取機に巻き取られる。これは、超薄肉高温帯鋼の経済的な生産を可能にする。
【０００７】
請求項１に記載の鋳造圧延設備はまた、製造技術的に第１生産ラインに対して少なくとも部分的に並列配置された第２生産ラインを含み、該生産ラインが少なくとも１つのスラブ供給装置を備え、この装置によって、スラブが少なくとも１つの再熱炉並びにそれに後続する少なくとも１つの前圧延機に導かれ、前圧延帯鋼がコイルとして少なくとも１つのコイル箱に収容される。
【０００８】
本発明に基づく鋳造圧延設備は、更にコイル搬送装置を有し、この搬送装置によって、コイルが仕上げラインの前で第２生産ラインから第１生産ラインに移送され、その際、前圧延帯鋼を導入すべく、コイルがコイル箱から取り出され、仕上げラインの入口に搬送される。
【０００９】
上述の処置に伴い、請求項１に記載の鋳造圧延設備により、特に特殊鋼と高合金鋼を含む幅広い種類の鉄鋼を生産でき、その結果高い生産性が実現する。
【００１０】
請求項２記載の実施態様では、コイル箱に、少なくとも１つのコイルを貯蔵する保温炉を付設する。請求項３記載の実施態様では、コイル箱を加熱する。
【００１１】
本発明の枠内で、鋳造圧延設備をスラブ製造装置により拡張できる。この場合、請求項４記載の実施態様では、第２生産ラインの構成部品として、スラブ製造装置をスラブ供給装置の前に置く。
【００１２】
請求項５記載の実施態様では、スラブ製造装置で製造したスラブを、熱間ないし高温作業にてスラブ供給装置に直接導入しおよび／又は請求項６記載の実施態様では、貯蔵庫に製造技術的に一時的に貯蔵し、必要に応じ常温作業にてスラブ供給装置に導入する。
【００１３】
その代わりに或いはそれに加えて、請求項７記載の如く、スラブ供給装置に、常温作業にてほかで製造したスラブを導入する。
【００１４】
上述した実施態様によって、本発明に基づく鋳造圧延設備を製造技術的要件に簡単に適合させられる。
【００１５】
以下、図１を参照して本発明の実施例を詳細に説明する。
【００１６】
図１は第１生産ラインＩを示す。このラインＩは、薄肉スラブ２を鋳造する鋳造機１を含む。前記スラブ２はトンネル釜３に導入される。トンネル釜３は仕上げライン４につながっている。図示の実施例で、仕上げライン４は６台の圧延機５を含む。薄肉スラブ２は仕上げライン４で高温帯鋼６に圧延される。該帯鋼６は仕上げライン４から出た後、冷却装置７を通り、巻取機８に巻き取られる。
【００１７】
図示の鋳造圧延設備の実施例では、第１生産ラインＩの第１拡張部として、もう１つの鋳造機１１を配置している。該鋳造機１１は製造技術的に前記鋳造機１に並列配置されている。鋳造機１１も同様に薄肉スラブ１２を製造する。該スラブ１２はトンネル釜１３に入れられる。この釜１３は、第１生産ラインＩ内で製造技術的に前記トンネル釜３に並列配置されている。薄肉スラブ１２は続いて仕上げライン４に導かれる（矢印１４参照）。
【００１８】
本発明に基づき、第１生産ラインＩに対し少なくとも部分的に製造技術的に並列して、第２生産ラインＩＩを配置している。図示の実施例では、第２生産ラインＩＩはスラブ供給装置２０を含み、該装置２０により、スラブ２２が再熱炉２３とそれに後続する（可逆）前圧延機２４に導かれる。この前圧延機２４で圧延された前圧延帯鋼は、コイル２５としてコイル箱２６に収容される。
【００１９】
この鋳造圧延設備は、本発明に基づき、コイル搬送装置をも含む。この搬送装置により、コイル２５を仕上げライン４の前で、第２生産ラインＩＩから第１生産ラインＩに移す。コイル搬送装置は、見易くする目的で図示していない。前圧延帯鋼を供給すべく、コイル２５をコイル箱２６から取り出し、仕上げライン４の入口に搬送する。コイル２５の供給を矢印２７で記号的に示す。
【００２０】
図示の実施例では、コイル箱２６に、コイルを貯蔵するための保温炉２１を付属させている（二重矢印２９参照）。
【００２１】
この実施例では、スラブ製造装置３０を一層改良している。該装置３０は、スラブ供給装置２０の前にあり、かつスラブ２２を鋳造する鋳造機３１を含む。スラブ２２は熱間・高温作業にてスラブ供給装置２０に直接導入する。スラブ供給装置２０はまたスラブ２２を再熱炉２３に導入する（矢印２８参照）。
【００２２】
図示の実施例で、スラブ供給装置２０に、常温作業にてほかで製造したスラブを導入してもよい。このスラブの導入を、矢印３２で記号的に示す。
【００２３】
スラブ製造装置３０で製造したスラブ２２並びにほかで製造したスラブを、貯蔵庫３４に製造技術時に一時的に貯蔵し（矢印３３、３５参照）、必要に応じ常温作業にてスラブ供給装置２０に導入する（矢印３６）。
【図面の簡単な説明】
【図１】
本発明に基づく鋳造圧延設備の概略構成図。
【符号の説明】
Ｉ　第１生産ライン、ＩＩ　第２生産ライン、１　鋳造機、２　薄肉スラブ、３　トンネル釜、４　仕上げライン、５　圧延機、７　冷却装置、８　巻取機、２０　スラブ供給装置、２１　保温炉、２２　スラブ、２３　トンネル釜、２５　コイル、２６　コイル箱、３０　スラブ製造装置、３４　貯蔵庫
【国際公開パンフレット】
2004508199.tif 000003
2004508199.tif 000004
2004508199.tif 000005
2004508199.tif 000006
2004508199.tif 000007
2004508199.tif 000008
2004508199.tif 000009
2004508199.tif 000010
2004508199.tif 000011
2004508199.tif 000012
【国際調査報告】
2004508199.tif 000013
2004508199.tif 000014
2004508199.tif 000015
2004508199.tif 000016
2004508199.tif 000017
2004508199.tif 000018